【手続補正書】
【提出日】令和1年11月15日(2019.11.15)
【手続補正１】
【補正対象書類名】特許請求の範囲
【補正対象項目名】全文
【補正方法】変更
【補正の内容】
【特許請求の範囲】
【請求項１】
混合廃棄物を処理する方法であって、
ａ）前記廃棄物を、（ｉ）主に食品廃棄物を含む部分（微細物）；及び（ｉｉ）主に紙と、他のリサイクル可能な材料とを含む部分（オーバーサイズ物）；を含む、少なくとも２つの部分に分離する工程；
ｂ）前記オーバーサイズ物をパルプ化する工程；及び
ｃ）前記オーバーサイズ物を洗浄して、セルロース系バイオマスを得る工程；及び任意選択で、
ｄ）前記微細物を処理して、セルロース系バイオマスを得る工程；
を有してなる方法。
【請求項２】
前記分離が、少なくとも１つの篩又はトロンメルにより達成される、請求項１に記載の方法。
【請求項３】
前記トロンメルが、約３００〜５００ｍｍの間の篩サイズ又は約５０〜１５０ｍｍの間の篩サイズを有する、請求項２に記載の方法。
【請求項４】
分離された微細物が、約２００ｍｍ未満の直径を有する、請求項１から３のいずれか１項に記載の方法。
【請求項５】
前記パルプ化工程ｂ）に続き、前記パルプ化された材料の少なくとも一部が破砕され、任意選択で該破砕した材料が再パルプ化される、請求項１から４のいずれか１項に記載の方法。
【請求項６】
前記オーバーサイズ物のパルプ化（工程ｂ）により、（ｉ）パルプ；（ｉｉ）他のリサイクル可能物；及び（ｉｉｉ）汚れた洗浄水；を含む、少なくとも３つの部分が得られる、請求項１から５のいずれか１項に記載の方法。
【請求項７】
前記他のリサイクル可能物（プラスチックフィルム、並びにプラスチック及び金属容器などのリサイクル可能な材料を含む）が、洗浄工程ｃ）の前に、パルプ化された材料から除去される、請求項６に記載の方法。
【請求項８】
前記洗浄工程ｃ）が、約１ｍｍ超の粒径を有する非有機実質固形物流を生じさせる、請求項１から７のいずれか１項に記載の方法。
【請求項９】
前記洗浄工程ｃ）が、バイオ由来の界面活性剤を含む界面活性剤、及び／又は酵素及び／又は触媒及び／又は添加剤及び／又は他の適切な物質の使用を含む、請求項１から８のいずれか１項に記載の方法。
【請求項１０】
前記非有機実質固形物流が、熱燃焼のため、又は合成ガス（シンガス）への転化のために使用される、請求項８に記載の方法。
【請求項１１】
前記洗浄工程ｃ）は洗浄水をさらに生じさせ、該洗浄水は、任意選択で生物的処理により処理され、主プロセスに戻されてリサイクルされる及び／又はバイオガス製造に使用される、請求項１から１０のいずれか１項に記載の方法。
【請求項１２】
前記微細物は、プラスチック材料の実質的な縮小なしに有機物を分解させるように、サーモメカニカルに処理される、請求項１から４のいずれか１項に記載の方法。
【請求項１３】
前記サーモメカニカルに処理された微細物は、（ｉ）ガラス及びシリカなどの重い粒子状物質；（ｉｉ）プラスチックなどの軽い粒子状物質；及び（ｉｉｉ）有機物；の分離を可能にするように比重選別を受ける、請求項１２に記載の方法。
【請求項１４】
前記微細物の処理は、有機物を多量に含む洗浄水をもたらす、請求項１２又は１３に記載の方法。
【請求項１５】
前記軽い粒子状物質は、請求項１の洗浄工程ｃ）に戻される、請求項１３に記載の方法。
【請求項１６】
主に食品廃棄物を含む微細物を処理する方法であって、サーモメカニカルパルプ化、及びそれに続く比重選別の工程を有してなる方法。
【請求項１７】
請求項１から１６のいずれか１項に記載の方法により得られるセルロース系バイオマス。
【請求項１８】
約１０％未満の灰分を含み、かつ約５〜８：１の間のグルカン：キシラン比を有する、セルロース系バイオマス。
【請求項１９】
請求項１７又は１８に記載のセルロース系バイオマスの、酵素加水分解における及び／又はセルロース系繊維製品の製造のための使用。
【請求項２０】
前記酵素加水分解が、糖溶液及び／又はリグニンを多量に含む固形物を製造するために使用される、請求項１９に記載の使用。
【請求項２１】
請求項１から１６のいずれか１項に記載の方法により得られる非有機実質固形物流から得られる可燃材料又はシンガス。
【請求項２２】
ＭＳＷから抽出される有機物から得られ、かつ請求項１から１６のいずれか１項に記載の方法により得られる、可燃材料又はバイオガス。
【手続補正２】
【補正対象書類名】明細書
【補正対象項目名】００９６
【補正方法】変更
【補正の内容】
【００９６】
有機、非有機
この中で言及されている用語「有機」は、炭素基を有する任意の植物又は動物由来の材料を意味するが、プラスチックを除く；従って、用語「非有機」は、有機でない任意のものを意味し、プラスチックを含む。
最後に、本発明の好ましい実施態様を項分け記載する。
［実施態様１］
混合廃棄物を処理する方法であって、
ａ）前記廃棄物を、（ｉ）主に食品廃棄物を含む部分（微細物）；並びに（ｉｉ）主に紙、及び他のリサイクル可能な材料を含む部分（オーバーサイズ物）；を含む、少なくとも２つの部分に分離する工程；
ｂ）前記オーバーサイズ物をパルプ化する工程；及び
ｃ）前記オーバーサイズ物を洗浄して、セルロース系バイオマスを得る工程；及び任意選択で、
ｄ）前記微細物を処理して、セルロース系バイオマスを得る工程；
を有してなる方法。
［実施態様２］
前記分離が、少なくとも１つの篩又はトロンメルにより達成される、実施態様１に記載の方法。
［実施態様３］
前記トロンメルが、約３００〜５００ｍｍの間の篩サイズを有する、実施態様２に記載の方法。
［実施態様４］
前記トロンメルが、約５０〜１５０ｍｍの間の篩サイズを有する、実施態様２又は３に記載の方法。
［実施態様５］
分離された微細物が、約２００ｍｍ未満の直径を有する、実施態様１から４のいずれかに記載の方法。
［実施態様６］
前記パルプ化工程ｂ）に続き、前記パルプ化された材料の少なくとも一部が破砕される、実施態様１から５のいずれかに記載の方法。
［実施態様７］
前記破砕した材料が再パルプ化される、実施態様６に記載の方法。
［実施態様８］
前記オーバーサイズ物のパルプ化（工程ｂ））は、（ｉ）パルプ；（ｉｉ）他のリサイクル可能物；及び（ｉｉｉ）汚れた洗浄水；を含む、少なくとも３つの部分を得ることをもたらす、実施態様１から７のいずれかに記載の方法。
［実施態様９］
前記他のリサイクル可能物（プラスチックフィルム、並びにプラスチック及び金属容器などのリサイクル可能な材料を含む）が、洗浄工程ｃ）の前に、前記パルプ化された材料から除去される、実施態様８に記載の方法。
［実施態様１０］
前記洗浄工程ｃ）が、約１ｍｍ超の粒径を有する非有機実質固形物流を生じさせる、実施態様１から９のいずれかに記載の方法。
［実施態様１１］
前記洗浄工程ｃ）が、バイオ由来の界面活性剤を含む界面活性剤、及び／又は酵素及び／又は触媒及び／又は添加剤及び／又は他の適切な物質の使用を含む、実施態様１から１０のいずれかに記載の方法。
［実施態様１２］
前記非有機実質固形物流が、熱燃焼のため、又は合成ガス（シンガス）への転化のために使用される、実施態様１０に記載の方法。
［実施態様１３］
前記洗浄工程ｃ）は洗浄水をさらに生じさせ、該洗浄水は、任意選択で生物的処理により処理され、主プロセスに戻されてリサイクルされる及び／又はバイオガス製造に使用される、実施態様１から１２のいずれかに記載の方法。
［実施態様１４］
前記微細物は、プラスチック材料の実質的な縮小なしに有機物を分解させるように、サーモメカニカルに処理される、実施態様１から５のいずれかに記載の方法。
［実施態様１５］
前記サーモメカニカルに処理された微細物は、（ｉ）ガラス及びシリカなどの重い粒子状物質；（ｉｉ）プラスチックなどの軽い粒子状物質；及び（ｉｉｉ）有機物；の分離を可能にするように比重選別を受ける、実施態様１４に記載の方法。
［実施態様１６］
前記微細物の処理は、有機物を多量に含む洗浄水をもたらす、実施態様１４又は１５に記載の方法。
［実施態様１７］
前記軽い粒子状物質は、実施態様１の洗浄工程ｃ）に戻される、実施態様１６に記載の方法。
［実施態様１８］
微細物（主に食品廃棄物を含む）を処理する方法であって、サーモメカニカルパルプ化、及びそれに続く比重選別の工程を有してなる方法。
［実施態様１９］
実施態様１から１８のいずれかに記載の方法により得られるセルロース系バイオマス。
［実施態様２０］
約６％未満、又は約７％未満、又は約８％未満、又は約９％未満、又は約１０％未満の灰分を含み、かつ約５〜８：１の間のグルカン：キシラン比を有する、セルロース系バイオマス。
［実施態様２１］
実施態様１９又は２０に記載のセルロース系バイオマスの、酵素加水分解における及び／又はセルロース系繊維製品の製造のための使用。
［実施態様２２］
前記酵素加水分解が、糖溶液及び／又はリグニンを多量に含む固形物を製造するために使用される、実施態様２１に記載の使用。
［実施態様２３］
実施態様１から１８のいずれかに記載の方法により得られる非有機実質固形物流から得られる可燃材料又はシンガス。
［実施態様２４］
ＭＳＷから抽出される有機物から得られ、かつ実施態様１から１８のいずれかに記載の方法により得られる、可燃材料又はバイオガス。
［実施態様２５］
添付の例証としての図面を参照して実質的にこの中に記載されているプロセス。